【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
第一の充電モード及び第二の充電モードを有するアダプタであって、
２次フィルター手段を含み、入力された交流電流を変換し、前記アダプタの出力電圧及び出力電流を取得するための電力変換手段と、
前記２次フィルター手段に接続され、前記アダプタが前記第一の充電モードで動作する場合に、前記２次フィルター手段に動作させ前記アダプタに一定の直流電流を出力させるように制御し、前記アダプタが前記第二の充電モードで動作する場合に、前記２次フィルター手段に動作を停止させ前記アダプタに交流電流或いは脈動電流を出力させるように制御するための制御手段と、を含む
ことを特徴とするアダプタ。
【請求項２】
前記アダプタが前記第二の充電モードで被充電機器を充電する速度は、前記アダプタが前記第一の充電モードで前記被充電機器を充電する速度よりも速い、
前記制御手段は、前記アダプタが被充電機器に接続されている時に、前記被充電機器と双方向通信し、前記第二の充電モードでの前記アダプタの出力を制御することを特徴とする請求項１に記載のアダプタ。
【請求項３】
前記制御手段は、前記被充電機器と双方向通信し、前記第二の充電モードでの前記アダプタの出力を制御することは、
前記制御手段は、前記被充電機器と双方向通信し、前記アダプタと前記被充電機器との間の充電モードを特定することを含むことを特徴とする請求項２に記載のアダプタ。
【請求項４】
前記制御手段は、前記被充電機器と双方向通信し、前記アダプタと前記被充電機器との間の充電モードを特定することは、
前記制御手段は、前記被充電機器が前記第二の充電モードを開始するか否かを問い合わせるための第一のコマンドを前記被充電機器に送信すること、
前記制御手段は、前記被充電機器が送信した、前記被充電機器が前記第二の充電モードの開始を許可するか否かを示すための前記第一のコマンドの応答コマンドを受信すること、
前記制御手段は、前記被充電機器が前記第二の充電モードの開始を許可する場合に、前記第二の充電モードで前記被充電機器を充電することを含む
ことを特徴とする請求項３に記載のアダプタ。
【請求項５】
前記制御手段は、前記被充電機器と双方向通信し、前記第二の充電モードでの前記アダプタの出力を制御することは、
前記制御手段は、前記被充電機器と双方向通信し、前記第二の充電モードでの前記アダプタが出力した、前記被充電機器を充電するための充電電圧を特定すること、
前記制御手段は、前記アダプタの出力電圧と前記第二の充電モードでの前記アダプタが出力した、前記被充電機器を充電するための充電電圧とが等しいように、前記アダプタの出力電圧を調整することを含む
ことを特徴とする請求項２乃至４のいずれか一つに記載のアダプタ。
【請求項６】
前記制御手段は、前記被充電機器と双方向通信し、前記第二の充電モードでの前記アダプタが出力した、前記被充電機器を充電するための充電電圧を特定することは、
前記制御手段は、前記アダプタの出力電圧が前記被充電機器の電池の現在電圧とマッチングしているか否かを問い合わせる第二のコマンドを前記被充電機器に送信すること、
前記制御手段は、前記被充電機器が送信した、前記アダプタの出力電圧が前記電池の現在電圧に比べてマッチングしているか、高すぎるか或いは低すぎるかを示すための前記第二のコマンドの応答コマンドを受信することを含む
ことを特徴とする請求項５に記載のアダプタ。
【請求項７】
前記制御手段は、前記被充電機器と双方向通信し、前記第二の充電モードでの前記アダプタの出力を制御することは、
前記制御手段は、前記被充電機器と双方向通信し、前記第二の充電モードでの前記アダプタが出力した、前記被充電機器を充電するための充電電流を特定すること、
前記制御手段は、前記アダプタの出力電流と、前記第二の充電モードでの前記アダプタが出力した、前記被充電機器を充電する充電電流とが等しいように、前記アダプタの出力電流を調整することを含む
ことを特徴とする請求項２乃至６のいずれか一つに記載のアダプタ。
【請求項８】
前記制御手段は、前記被充電機器に双方向通信し、前記第二の充電モードでの前記アダプタが出力した、前記被充電機器を充電するための充電電流を特定することは、
前記制御手段は、前記被充電機器が現在許容する最大充電電流を問い合わせるための第三のコマンドを前記被充電機器に送信すること、
前記制御手段は、前記被充電機器が送信した、前記被充電機器が現在許容する最大充電電流を示すための前記第三のコマンドの応答コマンドを受信すること、
前記制御手段は、前記被充電機器が現在許容する最大充電電流に従って、前記第二の充電モードでの前記アダプタが出力した、前記被充電機器を充電するための充電電流を特定することを含む
ことを特徴とする請求項７に記載のアダプタ。
【請求項９】
前記制御手段は、前記被充電機器と双方向通信し、前記第二の充電モードでの前記アダプタの出力を制御することは、
前記制御手段は、前記第二の充電モードで充電する際に、前記被充電機器と双方向通信し、前記アダプタの出力電流を調整することを含む
ことを特徴とする請求項２乃至８のいずれか一つに記載のアダプタ。
【請求項１０】
前記制御手段は、前記被充電機器と双方向通信し、前記アダプタの出力電流を調整することは、
前記制御手段は、前記被充電機器の電池の現在電圧を問い合わせるための第四のコマンドを前記被充電機器に送信すること、
前記制御手段は、前記アダプタが送信した、前記電池の現在電圧を示すための前記第四のコマンドの応答コマンドを受信すること、
前記制御手段は、前記電池の現在電圧に従って、前記アダプタの出力電流を調整することを含む
ことを特徴とする請求項９に記載のアダプタ。
【請求項１１】
前記アダプタは、充電インタフェースを含み、
前記制御手段は、前記充電インタフェースにおけるデータ線により前記被充電機器と双方向通信する
ことを特徴とする請求項２乃至１０のいずれか一つに記載のアダプタ。
【請求項１２】
前記第二の充電モードでは、前記アダプタの出力電流が脈動電流であることを特徴とする請求項１乃至１１いずれか一つに記載のアダプタ。
【請求項１３】
前記第二の充電モードでは、前記アダプタの出力電圧及び出力電流を被充電機器の電池の両端に直接印加し、前記電池を直接充電することを特徴とする請求項１乃至１２のいずれか一つに記載のアダプタ。
【請求項１４】
２次フィルター手段を含み、入力された交流電流を変換し前記アダプタの出力電圧及び出力電流を取得するアダプタを含むアダプタに適用される充電制御方法であって、
前記アダプタが第一の充電モードで動作する場合に、前記アダプタの２次フィルター手段を動作させ前記アダプタに一定の直流電流を出力させるように制御し、
前記アダプタが第二の充電モードで動作する場合に、前記２次フィルター手段に動作を停止させ前記アダプタに交流電流或いは脈動電流を出力させるように制御する、
ことを特徴とする充電制御方法。
【請求項１５】
前記アダプタが前記第二の充電モードで被充電機器を充電する速度は、前記アダプタが前記第一の充電モードで前記被充電機器を充電する速度よりも速い、
前記アダプタは、被充電機器に接続される際に、前記被充電機器と双方向通信し、前記第二の充電モードでの前記アダプタの出力を制御することをさらに含む
ことを特徴とする請求項１４に記載の充電制御方法。